(57)【特許請求の範囲】
【請求項１】
ＭＰＥＧデコーダの映像出力信号を受信して、デジタル信号の形態のＮＴＳＣ信号を生成するＮＴＳＣエンコーダ、
該ＮＴＳＣエンコーダの出力信号とデジタル搬送波信号を受信してそれら両信号の乗算を行い、デジタル信号の形態の振幅変調波を生成するデジタル振幅変調回路、
該デジタル振幅変調回路の出力信号を受信して該信号の帯域をＮＴＳＣ信号の残留側帯波に形成するデジタルＶＳＢフィルタ、
該デジタルＶＳＢフィルタの出力信号をアナログ信号に変換する第１のＤ／Ａコンバータ、
該第１のＤ／Ａコンバータの出力信号を帯域制限する第１のアナログＢＰＦ、
前記ＭＰＥＧデコーダの音声出力信号を受信してデジタル音声信号を生成する音声デコーダ、
該音声デコーダの出力信号とデジタル搬送波信号を受信して、該デジタル搬送波信号を前記音声デコーダの出力信号により周波数変調し、デジタル信号の形態の周波数変調波を生成するデジタル周波数変調回路、
該デジタル周波数変調回路の出力信号をアナログ信号に変換する第２のＤ／Ａコンバータ、
該第２のＤ／Ａコンバータの出力信号を帯域制限する第２のアナログＢＰＦ、および前記第１のアナログＢＰＦの出力信号と前記第２のアナログＢＰＦの出力信号を受信して混合する混合回路を具えてなることを特徴とする再変調器。
【請求項２】
請求項１記載の再変調器を組込んだことを特徴とするデジタル受信機。
【発明の詳細な説明】
【０００１】
【発明の属する技術分野】
本発明は、ＢＳデジタル放送や実施が予定されている地上デジタル放送において、デジタル方式で放送中のテレビ信号や、それに各種データ信号、受信機内部で発生させた各種メッセージなどを付加した信号（デジタル信号）で搬送波を再変調し、アナログ地上放送波と同様の残留側帯波の振幅変調波を生成する再変調器、およびその再変調器を組込んだデジタルチューナまたはデジタル受信機に関する。
【０００２】
【従来の技術】
従来、ＢＳデジタル放送の受信電波をデジタル信号のまま（アナログ信号に変換しないで）再変調して、アナログ地上放送波と同様の残留側帯波の振幅変調波を生成する再変調器は存在しなかった。
【０００３】
また、このような再変調器が組込まれたデジタルチューナまたはデジタル受信機があると、そこから得られた残留側帯波の振幅変調波を現在一般家庭で使用されているアナログ方式のテレビ受信機に分配してデジタル放送のコンテンツを楽しむことができるが、このような、デジタルチューナまたはデジタル受信機は未だ存在しなかった。
【０００４】
【発明が解決しようとする課題】
デジタルチューナやデジタル受信機においては、装置内部で復調された映像信号はデジタル信号であるから、その復調されたデジタル信号からＮＴＳＣ放送波と同様の残留側帯波振幅変調波を生成する場合には、デジタル信号をＤ／Ａコンバータで一旦アナログ信号に変換する必要があり、その結果、再変調器をアナログ回路で構成せざるを得ず、変調後の高周波信号の周波数が不安定になるという問題があった。
【０００５】
また、一般の再変調器では、変調波を出力するチャンネルが特定のチャンネルに限定されるという問題もあった。その理由は、高周波信号の変調では、希望する信号以外にも不要な信号の発生を伴うが、従来の方式ではそれを除去するためのフィルタがチャンネルごと、もしくは、それに準じた数だけ必要になるからである。
【０００６】
本発明の目的は、変調後の高周波信号の周波数が不安定になるとか、変調波を出力するチャンネルが特定のチャンネルに限定されるとかといった従来の問題を解決した再変調器、およびその再変調器を組込んだデジタル受信機を提供することにある。
【０００７】
【課題を解決するための手段】
上記目的を達成するために、本発明者は、デジタルチューナまたはデジタル受信機に組込まれ、上述した目的のために使用される再変調器はどうあるべきかを鋭意検討した結果、デジタルチューナまたはデジタル受信機内部で復調されたデジタル信号あるいはそれに何か別の信号を付加したデジタル信号により直接搬送波を変調（再変調）するのが、前述した従来技術における問題を解消するのに一番望ましいことに着眼して、本発明再変調器、およびその再変調器を組込んだデジタル受信機を構成したものである。
【０００８】
すなわち、本発明による再変調器は、ＭＰＥＧデコーダの映像出力信号を受信して、デジタル信号の形態のＮＴＳＣ信号を生成するＮＴＳＣエンコーダ、該ＮＴＳＣエンコーダの出力信号とデジタル搬送波信号を受信してそれら両信号の乗算を行い、デジタル信号の形態の振幅変調波を生成するデジタル振幅変調回路、該デジタル振幅変調回路の出力信号を受信して該信号の帯域をＮＴＳＣ信号の残留側帯波に形成するデジタルＶＳＢフィルタ、該デジタルＶＳＢフィルタの出力信号をアナログ信号に変換する第１のＤ／Ａコンバータ、該第１のＤ／Ａコンバータの出力信号を帯域制限する第１のアナログＢＰＦ、前記ＭＰＥＧデコーダの音声出力信号を受信してデジタル音声信号を生成する音声デコーダ、該音声デコーダの出力信号とデジタル搬送波信号を受信して、該デジタル搬送波信号を前記音声デコーダの出力信号により周波数変調し、デジタル信号の形態の周波数変調波を生成するデジタル周波数変調回路、該デジタル周波数変調回路の出力信号をアナログ信号に変換する第２のＤ／Ａコンバータ、該第２のＤ／Ａコンバータの出力信号を帯域制限する第２のアナログＢＰＦ、および前記第１のアナログＢＰＦの出力信号と前記第２のアナログＢＰＦの出力信号を受信して混合する混合回路を具えてなることを特徴とするものである。
【０００９】
また、本発明によるデジタル受信機は、本発明による再変調器を組込んだことを特徴とするものである。
【００１０】
【発明の実施の形態】
以下に添付図面を参照し、発明の実施の形態に基づいて本発明を詳細に説明する。
以下に説明する本発明による再変調器の一実施形態は、ＢＳデジタルチューナの一部を構成するとともに、ＢＳデジタル放送で放送中のテレビ信号や、それに各種のデータ信号および受信機内部で発生させたメッセージなどを付加した信号（デジタル信号）で搬送波を変調（再変調）してＶＨＦやＵＨＦのテレビ放送波（残留側帯波振幅変調波）を生成する再変調器であるとする。
また、上記において、ＢＳデジタルチューナは、ＢＳデジタル受信機であってもよい。
さらにまた、ＢＳデジタルチューナやＢＳデジタル受信機は、地上デジタル放送が行われるときの地上デジタルチューナや地上デジタル受信機であってもよい。
【００１１】
図１は、本発明による再変調器をブロック図にて示している。
図１において、１はＢＳデジタルチューナ、２はフロントエンド、３はＴＳプロセッサ、４はＭＰＥＧデコーダ、５は映像処理・グラフィックス、６はＤ／Ａコンバータ・ＬＰＦ、７は映像変調部、８はＮＴＳＣエンコーダ、９は振幅変調回路、１０はデジタルＶＳＢフィルタ、１１はＤ／Ａコンバータ、１２はアナログＢＰＦ、１３はアナログＬＰＦ、１４は音声変調部、１５は音声デコーダ、１６はＤ／Ａコンバータ・ＬＰＦ、１７は周波数変調回路、１８はＤ／Ａコンバータ、１９はアナログＢＰＦ、２０は混合回路、２１は増幅器、２２は分配器、２３はミキサ、２４は発振器、２５はアナログＢＰＦ、２６はミキサ、２７は発振器、そして２８はＣＰＵである。
そして、ＩＮは入力端子を、またＯＵＴ−１からＯＵＴ−５まではそれぞれ出力端子を示している。
【００１２】
動作につき説明する。
ＢＳ−ＩＦ信号はＢＳデジタルチューナ１の入力端子ＩＮに印加され、フロントエンド２に供給される。フロントエンド２においては、受信した衛星チャンネルのうちから選択したチャンネルが復調される。復調信号はＴＳプロセッサ３に供給され，そこからＴＳ（トランスポートストリーム）信号が取り出される。取り出されたＴＳ信号は、ＭＰＥＧデコーダ４に供給される。
【００１３】
ＭＰＥＧデコーダ４は、供給されたＴＳ信号から、ＭＰＥＧエンコードされている映像信号、音声信号、データ放送信号、および各種の制御情報を復号化して映像処理・グラフィックス５に供給する。映像処理・グラフィックス５は、ＭＰＥＧデコーダ４で復号化された信号のうち、映像信号、データ放送信号など映像に関するもの、および受信機内部で発生する各種メッセージを特定のフォーマットで合成してコンポーネント信号の形態で出力する。
【００１４】
映像処理・グラフィックス５で合成された映像信号等は、Ｄ／Ａコンバータ・ＬＰＦ６でデジタル信号からアナログ信号に変換され、いわゆるＤ端子と呼ばれる出力端子ＯＵＴ−１から、その端子に接続される受信機に対して出力される。
ここまでは、既存のＢＳデジタルチューナにもともと具わっている回路部分である。
【００１５】
ＮＴＳＣエンコーダを除いて、これから説明する部分は、本発明によって、ＢＳデジタルチューナに新たに付加される部分である。
映像処理・グラフィックス５の出力信号（コンポーネント信号）は、一方で本発明再変調器を構成する映像変調部７にも供給される。
この映像変調部７は、ＮＴＳＣエンコーダ８、振幅変調回路９、およびデジタルＶＳＢフィルタ１０から構成されている。
【００１６】
映像変調部７において、ＮＴＳＣエンコーダ８に供給されたデジタル映像コンポーネント信号は、同回路においてエンコードされるが、そのエンコードされた出力はデジタル信号の形態のＮＴＳＣ信号である。エンコードされたデジタルＮＴＳＣ信号は振幅変調回路９に供給され、同回路においてＣＰＵ２８が発生するデジタル信号の形態の正弦波と乗算し、振幅変調波を生成する。ＣＰＵ２８が発生する正弦波信号の周波数は、変調された信号の映像搬送周波数であり、本実施形態では６．０ＭＨｚである。
【００１７】
振幅変調回路９で生成された振幅変調波は両側波帯の振幅変調波であるため、これをデジタルＶＳＢフィルタ１０に通し、残留側波帯の振幅変調波にスペクトル成形する。デジタルＶＳＢフィルタ１０は、通常用いられるトランスバーサルフィルタで構成され、そのタツプ係数はＣＰＵ２８が制御する。
【００１８】
なお、本実施形態形態では、振幅変調回路９の出力における映像搬送波周波数が６ＭＨｚであるため、通過する信号の最大周波数が１０．２ＭＨｚとなる。従って、デジタルＶＳＢフィルタ１０は、周波数１０．２ＭＨｚまでの信号を通過させる性能を有している必要がある。
【００１９】
デジタルＶＳＢフィルタ１０の出力信号は切換スイッチＳＷ１の各切換え接点ｈ１，ｈ２に印加されるが、切換スイッチＳＷ１の切換え動作は、切換スイッチＳＷ２のそれと連動している。すなわち、振幅変調された映像信号をＢＳデジタルチューナ１から出力する場合には、切換スイッチＳＷ１の可動片は接点ｈ２に、そして切換スイッチＳＷ２の可動片は接点ｉ１側にそれぞれ倒され、他方、いわゆるベースバンドのＮＴＳＣ信号をＢＳデジタルチューナ１から出力する場合には、切換スイッチＳＷ１の可動片は接点ｈ１に、そして切換スイッチＳＷ２の可動片は接点ｉ２側にそれぞれ倒される。
【００２０】
まず、振幅変調された映像信号をＢＳデジタルチューナ１から出力する場合について説明する。
デジタルＶＳＢフィルタ１０でスペクトル成形された映像信号の残留側波帯振幅変調波は、切換スイッチＳＷ１の可動片が接点ｈ２側に倒されることにより、Ｄ／Ａコンバータ１１に供給され、そこでアナログの残留側波帯振幅変調波に変換される。変換されたアナログ残留側波帯振幅変調波は、切換スイッチＳＷ２の可動片が接点ｉ１側に倒されることにより、アナログＢＰＦ１２に供給され、そこで目的外の信号が除去される。
【００２１】
次に、ベースバンドのＮＴＳＣ信号をＢＳデジタルチューナ１から出力する場合について説明する。
ＮＴＳＣエンコーダ８でエンコードされたデジタル信号の形態のＮＴＳＣ信号は、切換スイッチＳＷ１の可動片が接点ｈ１側に倒されることにより、Ｄ／Ａコンバータ１１に供給され、そこでアナログ信号の形態のＮＴＳＣ信号に変換される。変換されたアナログ信号の形態のＮＴＳＣ信号は、切換スイッチＳＷ２の可動片が接点ｉ２側に倒されることにより、アナログＬＰＦ１３に供給され、そこで目的外の信号が除去され、出力端子ＯＵＴ−３から出力される。
【００２２】
ここで、音声信号の処理について説明する。
ＭＰＥＧデコーダ４において復号化された音声信号は音声変調部１４に供給される。
ここに、音声変調部１４は、音声デコーダ１５と周波数変調回路１７とから構成されている。
【００２３】
ＭＰＥＧデコーダ４において復号化された音声信号は、音声変調部１４中の音声デコーダ１５に供給され、デコードされたデジタルの音声信号が得られる。この音声信号は、Ｄ／Ａコンバータ・ＬＰＦ１６でデジタル信号からアナログ信号に変換され、出力端子ＯＵＴ−２から出力される。
【００２４】
他方、音声デコーダ１５においてデコードされたデジタルの音声信号は、周波数変調回路１７に供給され、その供給された信号によりＣＰＵ２８で発生する周波数１０．５ＭＨｚのデジタルの形態の正弦波を周波数変調して、周波数変調波を生成する。
【００２５】
周波数変調回路１７で生成された周波数変調波は、Ｄ／Ａコンバータ１８でアナログ信号に変換され、さらに、縦続接続されたアナログＢＰＦ１９で不要な信号が除去される。
【００２６】
アナログ信号に変換され、不要な信号が除去された周波数変調波（音声信号）と、上述したアナログＢＰＦ１２の出力信号である振幅変調波（映像信号）とを混合回路２０に供給して合成する。混合回路２０の出力信号としては、映像搬送波の周波数が６．０ＭＨｚ、音声搬送波の周波数が１０．５ＭＨｚとなっている。また、信号の帯域幅は４．７５〜１０．７５ＭＨｚの残留側波帯となっている。
【００２７】
混合回路２０の出力信号は増幅器２１で増幅され、分配器２２を介した後、ミキサ２３に供給される。ミキサ２３においては、供給された信号（分配器２２の出力信号）が発振器２４で発振させた周波数２，３０６ＭＨｚの局部発振信号と合成され、映像搬送波の周波数が２，３００ＭＨｚの信号に変換され、アナログＢＰＦ２５に供給される。
なお、アナログＢＰＦ２５は、ミキサ２３での信号合成に際し、生じた不要信号を除去するためのものである。
【００２８】
アナログＢＰＦ２５の出力信号は、ミキサ２６に供給される。ミキサ２６においては、供給された信号（ＢＰＦ２５の出力信号）が発振器２７で発振させた周波数２，３９１．２５ＭＨｚの局部発振信号と合成され、映像搬送波の周波数が９１．２５ＭＨｚの信号（１チャンネルのテレビ信号）に変換され、出力端子ＯＵＴ−４から出力される。
【００２９】
上記においては、出力端子ＯＵＴ−４から出力される信号の映像搬送波の周波数を９１．２５ＭＨｚとするために、発振器２７で発振させる周波数を２，３９１．２５ＭＨｚとしたが、これは、所望の出力映像搬送波の周波数だけ、発振器２４の発振周波数（この発振周波数は２，３０６ＭＨｚ固定とする）より高い周波数を発振器２７の発振周波数として設定することにより、任意所望の映像搬送波の周波数を有するテレビ信号が得られる。
【００３０】
また、本実施形態において、混合器２０の出力信号である中間周波数６．０ＭＨｚの信号から２つのヘテロダインにより周波数変換しているのは、出力端子ＯＵＴ−４から出力する信号に対して、チャンネルごとにフィルタを装備する必要をなくするためである。
【００３１】
また出力端子ＯＵＴ−５は、分配器２２の出力信号をそのまま取り出す端子であり、上述した映像搬送波の周波数が６．０ＭＨｚ、音声搬送波の周波数が１０．５ＭＨｚ、帯域幅が４．７５〜１０．７５ＭＨｚの残留側波帯のテレビ信号が取り出される。この取り出された信号は、このＢＳデジタルチューナ１の外部に設置される他の周波数変換装置により、ＶＨＦ，ＵＨＦのテレビ放送波帯への周波数変換が可能である。
【００３２】
最後に、本発明は、以上説明した再変調器に加え、その再変調器を組込んだデジタル受信機は（それぞれ、ＢＳおよび地上放送用の）をも含むものである。
【００３３】
【発明の効果】
現在、市販されているＢＳデジタルチューナでは、ＮＴＳＣのエンコードまでをすでにデジタル信号のまま処理しており、実施が予定されている地上デジタル放送用のデジタルチューナーでも同様の構成になると考えられることから、本発明再変調器は、そのような回路構成のデジタルチューナーやデジタル受信機との親和性が高く、無調整化を図るのに都合がよい。
【００３４】
また、本発明再変調器を組込んだデジタル受信機は、ＢＳデジタル放送や地上デジタル放送のＡＭ再送信装置として使用することが考えられるが、変調部のデジタル化により、高い周波数安定性を確保できるとともに、共同受信設備へ隣接チャンネルで伝送する場合もＶＡ比（映像と音声のレベル比）の調整が容易になるという利点を有している。
【００３５】
また、本発明再変調器によれば、従来の再変調器が両側帯波振幅変調であったのに対し、残留測帯波振幅変調であるので、得られた信号を家庭用のアナログテレビ受信機で受信した場合の問題が生じない。
【００３６】
また、本発明再変調器によれば、目的とする信号の周波数についても、従来の手法では中間周波数を用いることなく直接高周波の正弦波を変調して得ていたが、本発明では変調後の信号が一定周波数の中間周波信号であるため、任意の周波数での出力が容易となる。
【図面の簡単な説明】
【図１】  本発明による再変調器をブロック図にて示している。
【符号の説明】
１  ＢＳデジタルチューナ
２  フロントエンド
３  ＴＳプロセッサ
４  ＭＰＥＧデコーダ
５  映像処理・グラフィックス
６  Ｄ／Ａコンバータ・ＬＰＦ
７  映像変調部
８  ＮＴＳＣエンコーダ
９  振幅変調回路
１０  デジタルＶＳＢフィルタ
１１  Ｄ／Ａコンバータ
１２  アナログＢＰＦ
１３  アナログＬＰＦ
１４  音声変調部
１５  音声デコーダ
１６  Ｄ／Ａコンバータ・ＬＰＦ
１７  周波数変調回路
１８  Ｄ／Ａコンバータ
１９  アナログＢＰＦ
２０  混合回路
２１  増幅器
２２  分配器
２３  ミキサ
２４  発振器
２５  アナログＢＰＦ
２６  ミキサ
２７  発振器
２８  ＣＰＵ
ＩＮ  入力端子
ＳＷ−１，ＳＷ−２  切換スイッチ
ＯＵＴ−１，ＯＵＴ−２，ＯＵＴ−３，ＯＵＴ−４，ＯＵＴ−５  出力端子
【図１】
0003954426.tif 000002